(57)【要約】【課題】  経済的で、かつ中空材ユニットを正確な位置に浮上させることができるコンクリートスラブの構築方法および鉄筋拘束具を提供することである。【解決手段】  コンクリートスラブの構築方法は、スラブ型枠１に複数のガイド部材１８と、このガイド部材１８をガイドとして上昇する中空材１５とを設置するとともに、ガイド部材１８の上部にスラブ上筋１９を配筋した後、スラブ型枠１内にコンクリート２６を打設して中空材１５を上昇させて、スラブ上筋１９に当接させることである。【選択図】図１
2005133466.tif 000002
【特許請求の範囲】
【請求項１】
スラブ型枠に複数のガイド部材と、このガイド部材をガイドとして上昇する中空材とを設置するとともに、ガイド部材の上部にスラブ上筋を配筋した後、スラブ型枠内にコンクリートを打設して中空材を上昇させて、スラブ上筋に当接させることを特徴とするコンクリートスラブの構築方法。
【請求項２】
中空材は、ガイド部材でガイドされる振止材を介して上昇することを特徴とする請求項１に記載のコンクリートスラブの構築方法。
【請求項３】
振止材はガイド部材を差し込む差込孔を備えたことを特徴とする請求項２に記載のコンクリートスラブの構築方法。
【請求項４】
中空材は、軽量型枠を連結材で適宜間隔ごとに連結してなる中空材ユニットであることを特徴とする請求項１〜３のいずれかに記載のコンクリートスラブの構築方法。
【請求項５】
軽量型枠は球形またはカプセル形であることを特徴とする請求項４に記載のコンクリートスラブの構築方法。
【請求項６】
連結材は、溶接金網であることを特徴とする請求項４または５に記載のコンクリートスラブの構築方法。
【請求項７】
長尺材の一端部における雄ネジ部に、交差した鉄筋を挟み込める大きさの上部板ナットと下部板ナットとを設け、この上部板ナットと下部板ナットとの厚さが２〜４ｍｍであることを特徴とする鉄筋拘束具。
【請求項８】
上部板ナットと下部板ナットとは、それぞれ二面の幅が３０〜３５ｍｍであることを特徴とする請求項７に記載の鉄筋拘束具。
【請求項９】
長尺材の一端部における雄ネジ部に、拘束線材の基端部が上下部ナットで挟み付けられ、該上下部ナットの間には拘束線材の回転を阻止する抑止板が挟み込まれ、拘束線材は上部ナットに設置した鉄筋に掛け止めできるように折り曲げ形成され、その先端部にフックが設けられたことを特徴とする鉄筋拘束具。
【請求項１０】
長尺材の一端部における雄ネジ部に拘束線材の基端部が取り付けられ、該基端部を中心に拘束線材が回転可能であり、該拘束線材が上ナットに設置した鉄筋に掛け止めできるように折り曲げ形成されたことを特徴とする鉄筋拘束具。
【請求項１１】
長尺材の一端部における雄ネジ部に設けられた基盤と、該基盤から延びた鈎形線材とからなり、該鈎方線材は基盤に設置される鉄筋に掛け止めされることを特徴とする鉄筋拘束具。
【請求項１２】
長尺材の一端部における雄ネジ部に設けられた載置板と、該載置板から上方に延びた起立板とからなり、該起立板は載置板に設置した鉄筋に掛け止めできるように折曲可能であることを特徴とする鉄筋拘束具。
【発明の詳細な説明】
【技術分野】
【０００１】
本発明はコンクリートスラブの構築方法と、このコンクリートスラブを構築する際に使用する鉄筋拘束具に関するものである。
【背景技術】
【０００２】
コンクリートスラブを構築する際の埋込材の浮上防止方法としては、例えば特開平４−７０４４８号公報（先願例１）、特開平６−３０６９８８号公報（先願例２）、特開２０００−１９２５９１号公報（先願例３）の発明がある。上記先願例１は、一次コンクリートを打設してスラブ下筋の上に設置した箱形中空材を浮上させた後に、二次コンクリートを打設して完成させるものである。また先願例２は、連続して設置された特殊形状の補強筋間に管状中空材を挟むことで、浮上した中空材が所定の箇所に位置する際に、補強筋の形状で拘束するものである。また先願例３は、中空材自体に貫通させた浮上ガイドが型枠も貫通して、所定の位置でストップさせるものであり、芯材部分とガイド管の組み合わせで構成されている。
【特許文献１】特開平４−７０４４８号公報
【特許文献２】特開平６−３０６９８８号公報
【特許文献３】特開２０００−１９２５９１号公報
【発明の開示】
【発明が解決しようとする課題】
【０００３】
しかし、先願例１の発明は、軽量中空材の上昇が成り行き任せで、近接する梁のスターラップ筋に接するおそれがあった。また先願例２の発明は、スラブ筋に特殊形状の補強筋が必要となるためコスト高になっていた。また先願例３の発明は、軽量中空材自体にガイドを設定するので、ガイドの本数が多くなるなどの問題があった。
【０００４】
本発明は上記のような問題に鑑みてなされたものであり、その目的は、経済的で、かつ中空材ユニットを正確な位置に浮上させることができるコンクリートスラブの構築方法および鉄筋拘束具を提供することである。
【課題を解決するための手段】
【０００５】
本発明のコンクリートスラブの構築方法は、スラブ型枠に複数のガイド部材と、このガイド部材をガイドとして上昇する中空材とを設置するとともに、ガイド部材の上部にスラブ上筋を配筋した後、スラブ型枠内にコンクリートを打設して中空材を上昇させて、スラブ上筋に当接させることを特徴とする。また中空材は、ガイド部材でガイドされる振止材を介して上昇することを含む。また振止材はガイド部材を差し込む差込孔を備えたことを含む。また中空材は、軽量型枠を連結材で適宜間隔ごとに連結してなる中空材ユニットであることを含む。また軽量型枠は球形またはカプセル形であることを含む。また連結材は、溶接金網であることを含むものである。
また鉄筋拘束具は、長尺材の一端部における雄ネジ部に、交差した鉄筋を挟み込める大きさの上部板ナットと下部板ナットとを設け、この上部板ナットと下部板ナットとの厚さが２〜４ｍｍであることを含む。また上部板ナットと下部板ナットとは、それぞれ二面の幅が３０〜３５ｍｍであることを含むものである。
また鉄筋拘束具は長尺材の一端部における雄ネジ部に、拘束線材の基端部が上下部ナットで挟み付けられ、該上下部ナットの間には拘束線材の回転を阻止する抑止板が挟み込まれ、拘束線材は上部ナットに設置した鉄筋に掛け止めできるように折り曲げ形成され、その先端部にフックが設けられたことを特徴とする。
また鉄筋拘束具は、長尺材の一端部における雄ネジ部に拘束線材の基端部が取り付けられ、該基端部を中心に拘束線材が回転可能であり、該拘束線材が上部ナットに設置した鉄筋に掛け止めできるように折り曲げ形成されたことを特徴とする。
また鉄筋拘束具は、長尺材の一端部における雄ネジ部に設けられた基盤と、該基盤から延びた鈎形線材とからなり、該鈎方線材は基盤に設置される鉄筋に掛け止めされることを特徴とする。
また鉄筋拘束具は、長尺材の一端部における雄ネジ部に設けられた載置板と、該載置板から上方に延びた起立板とからなり、該起立板は載置板に設置した鉄筋に掛け止めできるように折曲可能であることを特徴とする。
【発明の効果】
【０００６】
中空材を正確な位置に浮上させることができる。またコンクリートの打設前に、中空材をスラブ上筋側に結束する手間が省けるので、経済的である。またガイド部材の鉄筋拘束具にスラブ上筋を簡単に拘束することができる。
【発明を実施するための最良の形態】
【０００７】
以下、本発明のコンクリートスラブの構築方法および鉄筋拘束具の実施の形態について説明する。はじめに、コンクリートスラブの構築方法について説明し、その後に、この構築方法に使用される鉄筋拘束具について説明する。なお、各実施の形態において、同じ構成は同じ符号を使って説明し、異なる構成は異なった符号を付して説明する。
【０００８】
図１〜図４は、第１の実施の形態のコンクリートスラブの構築方法である。このコンクリートスラブの構築方法は、はじめに、図１の（１）に示すように、スラブ型枠１の底部にボード用アンカー２でスペーサー３を適宜箇所に設置するとともに、該スペーサー３上にスラブ下筋４を配筋する。
【０００９】
このスペーサー３は、同図の（２）〜（４）に示すように、合成樹脂製で平面楕円形に形成され、その中央部に雌ネジ部５が貫通し、該雌ネジ部５を挟んだＸ軸方向およびＹ軸方向の対向箇所にそれぞれ突起６が設けられ、これらの突起６間に鉄筋載置部７が形成された構成である。
【００１０】
この突起６は、雌ネジ部５の中心を通るＸ軸およびＹ軸上に設けられて、鉄筋載置部７に載置されたスラブ下筋４により、雌ネジ部５が塞がれないようにするものである。すなわち、Ｘ軸方向およびＹ軸方向に配筋されたスラブ下筋４の移動が突起６で規制されるので、雌ネジ部５を塞がないようになっている。
【００１１】
また鉄筋載置部７は、Ｘ軸における高所載置部９と、Ｙ軸における低所載置部１０とが段差をもって形成され、該低所載置部１０が凸部１１により二つに区画されて、スラブ下筋４が並列に配筋できるようになっている。この高所載置部９と低所載置部１０とは、異なった被り厚を確保するためのものであり、例えば屋内のスラブを構築するときは低所載置部１０にスラブ下筋４を配筋し、屋外のスラブを構築するときは高所載置部９にスラブ下筋４を配筋する。
【００１２】
またボード用アンカー２は合成樹脂製であり、軸体１２の下端部から上端側に向かって外側に開いた二枚の掛止片１３と、該掛止片１３の自由端部に設けた、軸体１２を取付用開孔の中心部に位置付けさせる位置決め片１４とから構成されている。
【００１３】
次に、図２に示すように、スラブ下筋４が配筋されたスラブ型枠１内に中空材１５を、貫通孔１６がスペーサー３の上に位置するように設置する。そして、前記貫通孔１６に鉄筋拘束具１７のガイド部材１８を差し込んで、その先端部をスペーサー３の雌ネジ部５にねじ込むと、中空材１５がガイド部材１８をガイドとして上方に移動できるようになる。
【００１４】
上記の鉄筋拘束具１７はスラブ上筋１９を配筋するものであり、図３に示すように、ガイド部材１８の上部における雄ネジ部２０に設けた、上部板ナット２１と下部板ナット２２とから構成されている。この上部板ナット２１と下部板ナット２２とは、スラブ上筋１９の交差した横筋２３および縦筋２４を挟み込める大きさと厚さ、すなわち同図の（２）に示すように、二面の幅Ｈが３０〜３５ｍｍ、厚さが２〜４ｍｍであり、上部板ナット２１の上から締付ナット２５をねじ込んで、横筋２３と縦筋２４の交差部を上下から挟み付けるようになっている。
【００１５】
そして、この鉄筋拘束具１７にスラブ上筋１９を配筋する。この配筋は、まず下部板ナット２２上に横筋２３を設置して雄ネジ部２０に結束する。次に、この横筋２３上に縦筋２４を、ガイド部材１８を挟むようにして互いに結束するが、縦筋２４が一本の場合は、雄ネジ部２０に結束する。また締付ナット２５は、コンクリートの打設中に上部板ナット２１が緩まないように設置する。よって、横筋２３および縦筋２４を上下部板ナット２１、２２の間に、横から簡単に差し込むことができる。またスラブ上筋１９は、隣接するガイド部材１８同士を連結して、その上部側を固定するとともに、上昇する中空材１５のストッパにもなる。
【００１６】
次に、図４に示すように、スラブ型枠１内にコンクリート２６を打設すると、中空材１５が浮力により、ガイド部材１８をガイドとして浮き上がり、鉄筋拘束具１７に配筋されたスラブ上筋１９に当接する。そして、このスラブ上筋１９に当接した中空材１５が、コンクリート２６に埋設されて、コンクリートスラブ８が構築される。
【００１７】
また図５および図６は、第２の実施の形態のコンクリートスラブの構築方法である。このコンクリートスラブの構築方法は、図５の（１）に示すように、スラブ型枠１の底部にボード用アンカー２でスペーサー３を適宜箇所に設置するとともに、該スペーサー３上にスラブ下筋４を配筋する。このボード用アンカー２とスペーサー３とは、第１の実施の形態と同じ構成である。
【００１８】
次に、スラブ下筋４が配筋されたスラブ型枠１内に中空材ユニット２７を設置する。この中空材ユニット２７は、軽量発泡材で形成された円筒形の軽量型枠１５ａが、接続筋などの連結材２８で縦横方向に適宜間隔をもって連結されたものである。
【００１９】
次に、前記スペーサー３の雌ネジ部５に、上記と同じ鉄筋拘束具１７のガイド部材１８をねじ込み、該ガイド部材１８に、スライド自在に取り付けた振止材２９を中空材ユニット２７の連結材２８に固定する。したがって、この振止材２９がガイド部材１８をスライドするため、中空材ユニット２７全体が、ガイド部材１８をガイドとして上方に移動できる。この振止材２９は、図５の（２）に示すように、中央部にガイド部材１８を差し込む差込孔３０を備え、両端部には連結材２８に掛け止める掛止フック３１が形成されている。
【００２０】
次に、図６に示すように、上記と同じ方法で、鉄筋拘束具１７にスラブ上筋１９を配筋するとともに、スラブ型枠１内にコンクリート２６を打設すると、中空材ユニット２７が浮力により、ガイド部材１８をガイドとして浮き上がり、鉄筋拘束具１７に配筋されたスラブ上筋１９に当接する。そして、このスラブ上筋１９に当接された中空材ユニット２７が、コンクリート２６に埋設されて、コンクリートスラブ８が構築される。
【００２１】
また図７〜図１２は、第３の実施の形態のコンクリートスラブの構築方法である。このコンクリートスラブの構築方法は、図７に示すように、スラブ型枠１の底部にボード用アンカー２でスペーサー３を適宜箇所に設置するとともに、該スペーサー３上にスラブ下筋４を配筋する。このボード用アンカー２とスペーサー３とは、第１の実施の形態と同じ構成である。
【００２２】
次に、図８に示すように、スラブ下筋４が配筋されたスラブ型枠１内に中空材ユニット２７を、スペーサー３が軽量型枠１５ａ間に位置するように設置する。この中空材ユニット２７は、軽量発泡材で形成されたカプセル形の軽量型枠１５ａが溶接金網などの連結材２８で縦横方向に適宜間隔をもって連結されたものである。
【００２３】
次に、前記スペーサー３の雌ネジ部５に、上記と同じ鉄筋拘束具１７のガイド部材１８をねじ込み、該ガイド部材１８に、スライド自在に取り付けた振止材３２を中空材ユニット２７の連結材２８に固定する。よって、この振止材２９がガイド部材１８をスライドするため、中空材ユニット２７全体が、ガイド部材１８をガイドとして上方に移動できる。
【００２４】
この振止材２９は、図９に示すように、中央部に、ガイド部材１８を差し込む差込孔３０を備え、両端部には、連結材２８に嵌め込む嵌込フック３３が形成されている。また図１０は、他の実施の形態の振止材３４であり、線材３５を折り曲げて差込孔３０と、両端部の嵌込フック３３とを形成している。
【００２５】
次に、図１１に示すように、上記と同じ方法で、鉄筋拘束具１７にスラブ上筋１９を配筋すると、このスラブ上筋１９が隣接したガイド部材１８同士を連結して、その上部側を固定するとともに、上昇する中空材ユニット２７のストッパになる。
【００２６】
次に、図１２に示すように、スラブ型枠１内にコンクリート２８を打設すると、中空材ユニット２７が浮力により、ガイド部材１８をガイドとして浮き上がり、鉄筋拘束具１７に配筋されたスラブ上筋１９に当接する。そして、このスラブ上筋１９に当接された中空材ユニット２７が、コンクリート２６に埋設されて、コンクリートスラブ８が構築される。
【００２７】
また図１３は、他の実施の形態の鉄筋拘束具３６である。この鉄筋拘束具３６は、ガイド部材１８の雄ネジ部２０に、拘束線材３７の基端部３８が上下部ナット３９、４０で挟み付けられ、該上下部ナット３９、４０の間には拘束線材３７の回転を阻止する抑止板４１が挟み込まれて構成される。この拘束線材３７は湾曲形に折り曲げ形成され、その先端部にフック４２が形成されている。そして、上部ナット３９の上に縦筋２４が配筋されるとともに、該縦筋２４を挟むようにして、立ち上がった一対の拘束線材３７が横筋２３に掛け止めされ、該横筋２３がフック４２に嵌め込まれている。よって、縦筋２４を、拘束線材３７の間から上部ナット３９上に設置するとともに、縦筋２４と拘束線材３７との間に、横筋２３を差し込むと、拘束線材３７のバネ作用で固定され、フック４２で押し出されないようになる。このように、鉄筋拘束具３６にスラブ上筋１９が簡単に配筋できる。
【００２８】
また図１４は、他の実施の形態の鉄筋拘束具４３である。この鉄筋拘束具４３は、ガイド部材１８の雄ネジ部２０に固定板４４で拘束線材４５の基端部４６が取り付けられ、該基端部４６を中心に回転可能となっている。この拘束線材４５は鉄筋に掛け止めできるように折り曲げ形成されている。そして、固定板４４の起立部４７に横筋２３が設置され、この上に配筋された縦筋２４に拘束線材４５が掛け止めされ、その先端部が横筋２３に結束線４８で結束されている。したがって、拘束線材４５を下側に回転させた状態で、起立部４７に横筋２３を設置するとともに、この横筋２３の上に縦筋２４を設置する。次に、拘束線材４５を上側に回転させて縦筋２４に掛け止めし、その先端部を結束線４８で横筋２３に結束すると交差部が固定される。よって、スラブ上筋１９が簡単に配筋できる。
【００２９】
また図１５は、他の実施の形態の鉄筋拘束具５０である。この鉄筋拘束具５０は、ガイド部材１８の雄ネジ部２０に取り付けられた基盤５１と、該基盤５１から延びた鈎形線材５２とから構成されている。この鈎形線材５２が、基板５１上に設置された縦筋２４と横筋２３との交差部を、斜めに横切って掛け止めされている。したがって、まず縦筋２４を基盤５１上に設置した後に、縦筋２４と鈎形線材５２との間に横筋２３を差し込むと、鈎形線材５２のバネ作用で固定されるので、スラブ上筋１９の配筋が簡単にできる。
【００３０】
また図１６は、他の実施の形態の鉄筋拘束具５４である。この鉄筋拘束具５４は、ガイド部材１８の雄ネジ部２０に取り付けられた載置板５５と、該載置板５５から上方に延びた折曲可能な起立板５６とから構成されている。この載置板５５には縦筋２４が設置され、この縦筋２４上に設置された横筋２３に、起立板５６が掛け止めされている。したがって、まず起立板５６を折り曲げる前の載置板５５に、縦筋２４を設置するとともに、該縦筋２４上に横筋２３を設置した後に、起立板５６を折り曲げて横筋２３に掛け止めして、交差部を固定するので、スラブ上筋１９の配筋が簡単にできる。
【００３１】
この図１３〜図１６の鉄筋拘束具３６、４３、５０、５４は、第１〜第３のコンクリートスラブの構築方法における鉄筋拘束具１７に代わって適用することができる。これは、上記の鉄筋拘束具３６、４３、５０、５４をスペーサー３の雌ネジ部５にねじ込むものであり、いずれもスラブ上筋１９の配筋が簡単にできる。
【図面の簡単な説明】
【００３２】
【図１】第１の実施の形態のコンクリートスラブの構築方法を示し、（１）はスラブ型枠にスペーサーを設置した断面図、（２）はスペーサーの断面図、（３）は同平面図、（４）同斜視図である。
【図２】型枠内に中空材や鉄筋拘束具を設置した断面図である。
【図３】（１）は鉄筋拘束具の断面図、（２）は平面図である。
【図４】型枠内にコンクリートを打設した断面図である。
【図５】第２の実施の形態のコンクリートスラブの構築方法を示し、（１）はスラブ型枠に中空材ユニットを設置した断面図、（２）は振止材の平面図である。
【図６】型枠内にコンクリートを打設した断面図である。
【図７】第３の実施の形態のコンクリートスラブの構築方法を示し、スラブ型枠にスペーサーを設置した断面図である。
【図８】（１）はスラブ型枠に中空材ユニットを設置した断面図、（２）は同平面図である。
【図９】振止材であり、（１）は平面図、（２）は正面図、（３）は（１）のＡ−Ａ線断面図である。
【図１０】他の実施の形態の振止材であり、（１）は平面図、（２）は正面図である。
【図１１】（１）は鉄筋拘束具にスラブ上筋を配筋した断面図、（２）は平面図である。
【図１２】（１）はスラブ型枠にコンクリートを打設して中空材ユニットが上昇した断面図、（２）は拡大断面図である。
【図１３】鉄筋拘束具であり、（１）は正面図、（２）は平面図、（３）は側面図、（４）は固定板の正面図、（５）は固定板の側面図である。
【図１４】鉄筋拘束具であり、（１）は側面図、（２）は平面図、（３）は背面図である。
【図１５】鉄筋拘束具であり、（１）および（３）は側面図、（２）は平面図である。
【図１６】鉄筋拘束具であり、（１）は正面図、（２）は側面図、（３）は正面図である。
【符号の説明】
【００３３】
１  スラブ型枠
２  ボード用アンカー
３  スペーサー
４  スラブ下筋
５  雌ネジ部
６  突起
７  鉄筋載置部
８  コンクリートスラブ
９  高所載置部
１０  低所載置部
１１  凸部
１２  軸体
１３  掛止片
１４  位置決め片
１５  中空材
１５ａ  軽量型枠
１６  貫通孔
１７、３６、４３、５０、５４  鉄筋拘束具
１８  ガイド部材
１９  スラブ上筋
２０  雄ネジ部
２１  上部板ナット
２２  下部板ナット
２３  横筋
２４  縦筋
２５  締付ナット
２６  コンクリート
２７  中空材ユニット
２８  連結材
２９、３２、３４  振止材
３０  差込孔
３１  掛止フック
３３  嵌込フック
３５  線材
３７、４５  拘束線材
３８  基端部
３９  上部ナット
４０  下部ナット
４１  抑止板
４２  フック
４４  固定板
４６  基端部
４７  起立部
４８  結束線
５１  基盤
５２  鈎形線材
５５  載置板
５６  起立板
【図１】
2005133466.tif 000003
【図２】
2005133466.tif 000004
【図３】
2005133466.tif 000005
【図４】
2005133466.tif 000006
【図５】
2005133466.tif 000007
【図６】
2005133466.tif 000008
【図７】
2005133466.tif 000009
【図８】
2005133466.tif 000010
【図９】
2005133466.tif 000011
【図１０】
2005133466.tif 000012
【図１１】
2005133466.tif 000013
【図１２】
2005133466.tif 000014
【図１３】
2005133466.tif 000015
【図１４】
2005133466.tif 000016
【図１５】
2005133466.tif 000017
【図１６】
2005133466.tif 000018